(57)【要約】【課題】本発明は、商品価値の高い長尺物立設保持具を提供することを目的とする。【解決手段】長尺物１を立設状態で保持するためのものであって、所定高さ位置Ｐに配される基体２の左右位置に一対の起伏体３，４が設けられ、この起伏体３，４の倒伏状態における対向間隔は前記長尺物１の径より小さい間隔に設定され、この起伏体３，４同士の間に前記長尺物１を握持して下方から挿入し該起伏体３，４を起立状態とした後、前記握持をやめると、前記起伏体３，４と該長尺物１との接触摩擦及び該長尺物１の自重により該起伏体３，４は倒伏状態へ向かい、該長尺物１は挟持されて立設状態で保持されるように構成されたものである。【選択図】図１
2007319405.tif 000002
【特許請求の範囲】
【請求項１】
長尺物を立設状態で保持するためのものであって、所定高さ位置に配される基体の左右位置に一対の起伏体が設けられ、この起伏体の倒伏状態における対向間隔は前記長尺物の径より小さい間隔に設定され、この起伏体同士の間に前記長尺物を握持して下方から挿入し該起伏体を起立状態とした後、前記握持をやめると、前記起伏体と該長尺物との接触摩擦及び該長尺物の自重により該起伏体は倒伏状態へ向かい、該長尺物は挟持されて立設状態で保持されるように構成されていることを特徴とする長尺物立設保持具。
【請求項２】
長尺物を立設状態で保持するためのものであって、所定高さ位置に配される基体の左右位置に一対の起伏体が設けられ、この起伏体の倒伏状態における対向間隔は前記長尺物の径より小さい間隔に設定され、この起伏体は常時倒伏状態となるように付勢されており、この起伏体の間に前記長尺物を挿入し該起伏体を起立状態とした場合、該起伏体は前記付勢力により倒伏状態へ向かい、該長尺物は挟持されて立設状態で保持されるように構成されていることを特徴とする長尺物立設保持具。
【請求項３】
請求項１，２いずれか１項に記載の長尺物立設保持具において、前記長尺物は鋤や鍬などの農耕具の柄であることを特徴とする長尺物立設保持具。
【請求項４】
請求項１〜３いずれか１項に記載の長尺物立設保持具において、前記起伏体は軸を中心に回転することで倒伏状態から起立状態となるものであることを特徴とする長尺物立設保持具。
【請求項５】
請求項１〜４いずれか１項に記載の長尺物立設保持具において、前記起伏体同士は歯車機構を介して連動するように構成されていることを特徴とする長尺物立設保持具。
【請求項６】
請求項１〜５いずれか１項に記載の長尺物立設保持具において、前記起伏体の軸はその軸方向が前記基体の正背面方向に設定されており、前記起伏体により挟持される前記長尺物が該起伏体の正面方向に移動して該起伏体から抜け脱可能に構成されていることを特徴とする長尺物立設保持具。
【請求項７】
請求項１〜６いずれか１項に記載の長尺物立設保持具において、前記起伏体夫々の少なくとも前記長尺物に当接する当接部はゴム製であることを特徴とする長尺物立設保持具。
【請求項８】
請求項１〜７いずれか１項に記載の長尺物立設保持具において、前記起伏体夫々の対向面は正面視において上側程内方へ突出するＲテーパー形状に形成されていることを特徴とする長尺物立設保持具。
【発明の詳細な説明】
【技術分野】
【０００１】
本発明は、長尺物立設保持具に関するものである。
【背景技術】
【０００２】
従来から、例えば農作業で使用される鋤や鍬などの長い柄（長尺物）を有する農耕具は、不使用時に、建物の壁面に立て掛けて保管しておくのが一般的である。
【発明の開示】
【発明が解決しようとする課題】
【０００３】
しかしながら、前述したように単に壁面に立て掛けただけの農耕具は、何らかの原因で倒れてしまう場合が多く、邪魔になったり、乱雑な保管状態となり体裁が悪いとされる。
【０００４】
本発明は、上述の問題点を解消する、極めて商品価値の高い画期的な長尺物立設保持具を提供する。
【課題を解決するための手段】
【０００５】
添付図面を参照して本発明の要旨を説明する。
【０００６】
長尺物１を立設状態で保持するためのものであって、所定高さ位置Ｐに配される基体２の左右位置に一対の起伏体３，４が設けられ、この起伏体３，４の倒伏状態における対向間隔は前記長尺物１の径より小さい間隔に設定され、この起伏体３，４同士の間に前記長尺物１を握持して下方から挿入し該起伏体３，４を起立状態とした後、前記握持をやめると、前記起伏体３，４と該長尺物１との接触摩擦及び該長尺物１の自重により該起伏体３，４は倒伏状態へ向かい、該長尺物１は挟持されて立設状態で保持されるように構成されていることを特徴とする長尺物立設保持具に係るものである。
【０００７】
また、長尺物１を立設状態で保持するためのものであって、所定高さ位置Ｐに配される基体２の左右位置に一対の起伏体３，４が設けられ、この起伏体３，４の倒伏状態における対向間隔は前記長尺物１の径より小さい間隔に設定され、この起伏体３，４は常時倒伏状態となるように付勢されており、この起伏体３，４の間に前記長尺物１を挿入し該起伏体３，４を起立状態とした場合、該起伏体３，４は前記付勢力により倒伏状態へ向かい、該長尺物１は挟持されて立設状態で保持されるように構成されていることを特徴とする長尺物立設保持具に係るものである。
【０００８】
また、請求項１，２いずれか１項に記載の長尺物立設保持具において、前記長尺物１は鋤や鍬などの農耕具の柄であることを特徴とする長尺物立設保持具に係るものである。
【０００９】
また、請求項１〜３いずれか１項に記載の長尺物立設保持具において、前記起伏体３，４は軸５，６を中心に回転することで倒伏状態から起立状態となるものであることを特徴とする長尺物立設保持具に係るものである。
【００１０】
また、請求項１〜４いずれか１項に記載の長尺物立設保持具において、前記起伏体３，４同士は歯車機構９を介して連動するように構成されていることを特徴とする長尺物立設保持具に係るものである。
【００１１】
また、請求項１〜５いずれか１項に記載の長尺物立設保持具において、前記起伏体３，４の軸５，６はその軸方向が前記基体２の正背面方向に設定されており、前記起伏体３，４により挟持される前記長尺物１が該起伏体３，４の正面方向に移動して該起伏体３，４から抜け脱可能に構成されていることを特徴とする長尺物立設保持具に係るものである。
【００１２】
また、請求項１〜６いずれか１項に記載の長尺物立設保持具において、前記起伏体３，４夫々の少なくとも前記長尺物１に当接する当接部はゴム製であることを特徴とする長尺物立設保持具に係るものである。
【００１３】
また、請求項１〜７いずれか１項に記載の長尺物立設保持具において、前記起伏体３，４夫々の対向面は正面視において上側程内方へ突出するＲテーパー形状に形成されていることを特徴とする長尺物立設保持具に係るものである。
【発明の効果】
【００１４】
本発明は上述のように構成したから、長尺物を確実に立設状態で保持することができ、従来から生じていた問題点は確実に解消されることになり、しかも、この長尺物を立設状態で保持させる操作が起伏体同士の間に長尺物を挿入するだけであるから、長尺物の立設状態の保持が簡易且つ迅速に達成されることになるなど極めて商品価値の高い画期的な長尺物立設保持具となる。
【発明を実施するための最良の形態】
【００１５】
好適と考える本発明の実施形態を、図面に基づいて本発明の作用を示して簡単に説明する。
【００１６】
起伏体３，４同士の間に長尺物１を手で握持して下方から挿入し該起伏体３，４を起立状態とした後、手を離すと、自重により長尺物１は落下し、その際、起伏体３，４と該長尺物１との接触摩擦により該起伏体３，４は引っ張られて倒伏状態へ向かい、該長尺物１は該起伏体３，４に挟持されて立設状態で保持される。
【００１７】
従って、長尺物１を確実に立設状態で保持することができ、しかも、この長尺物１における立設状態の保持が簡易且つ迅速に達成されることになる。
【実施例】
【００１８】
本発明の具体的な実施例について図面に基づいて説明する。
【００１９】
本実施例は、鋤や鍬などの農耕具の柄（長尺物１）を立設状態で保持するためのものである。
【００２０】
具体的には、基体２とこの基体２に設けられる起伏体３，４とで構成されている。
【００２１】
基体２は、図１，２に図示したように適宜な合成樹脂製の部材で形成したものであり、板状の基板部２Ａと、この基板部２Ａの正面左右位置に突設される突出部２Ｂとで構成されている。
【００２２】
この基板部２Ａは、図２に図示したようにその背面上下縁部に後述するガイド体10のガイド凹溝10ａにスライド移動自在に係止連結し得るスライド突部２ａが設けられている。
【００２３】
突出部２Ｂは、図２に図示したように先端部が内方に折曲形成されており、この突出部２Ｂの先端部２ｂの内面と基板部２Ａの正面との対向位置には起伏体３，４に設けられる軸５，６を嵌合する軸受部７，８が設けられている。
【００２４】
ガイド体10は、図１，３に図示したように適宜な金属製の部材で形成した長尺板材であり、その上下縁が正面側に折曲形成されてガイド凹溝10ａが形成されている。
【００２５】
このガイド凹溝10ａは、前述した基板部２Ａのスライド突部２ａが係止し得るように構成されている。
【００２６】
従って、基体２はこのガイド体10の長さ方向にスライド移動自在となり、複数の基体２をガイド体10に設けて複数の長尺物１を立設状態で保持することとした場合、長尺物１同士が干渉しあわないように間隔を調節して保管することができることになる。
【００２７】
起伏体３，４は、基体２に回動自在に連結する回動軸部３Ａ，４Ａとこの回動軸部３Ａ，４Ａに設けられる挟持当接部３Ｂ，４Ｂとで構成されている。
【００２８】
回動軸部３Ａ，４Ａは、図２に図示したように適宜な合成樹脂製の部材で形成したものであり、その偏平状に形成された基部３ａの前後端部には、前述した基体２に係る突出部２Ｂと基板部２Ａの対向位置に設けた軸受部７，８に嵌合する軸５，６が突設されている。
【００２９】
また、回動軸部３Ａ，４Ａは、基部３ａの後端部に放射方向に歯11ａ，12ａが形成される扇形状の歯車部11，12が設けられている。
【００３０】
この歯車部11，12は、基体２の左右位置に起伏体３，４を設けた際、夫々の歯11ａ，12ａが歯合する歯車機構９として構成されており、この歯車機構９により起伏体３，４同士は連動するように構成されている。
【００３１】
従って、両起伏体３，４は、左右対称（均等）に起伏することになり長尺物１の受け入れ及び挟持が最適に行われる。
【００３２】
また、この歯車部11，12は、基体２に設けて回動させた際、突出部２Ｂの内面に当たり、その回動が９０度しか回動しないように規制されている。従って、挟持当接部３Ｂ，４Ｂは、上面が水平状態から垂直状態となるまでの間でのみ回動するように構成されている。
【００３３】
また、歯車部11，12は、図２，７に図示したようにその裏面に付勢体13が設けられており、この付勢体13は、常時起伏体３，４を倒伏方向へ付勢するように構成されている。尚、付勢体13は一端が基体２へ係止され、他端が起伏体３，４（回動軸部３Ａ，４Ａ）に係止され、中央巻回部は軸５，６に被嵌されている。
【００３４】
挟持当接部３Ｂ，４Ｂは、図２に図示したように適宜な摩擦抵抗の高い合成樹脂製の部材（ゴム部材）で形成したカバー体であり、回動軸部３Ａ，４Ａの基部３ａに被嵌し得るように該基部３ａと同形状に設けられており、その前端部には基部３ａの前端部に設けた軸５，６を突出状態に貫通せしめる窓孔３ｂ，４ｂが形成されている。
【００３５】
また、挟持当接部３Ｂ，４Ｂは、その側面にして左右の起伏体３，４夫々の互いに対向する面は正面視において上側程内方へ突出するＲテーパー形状に形成されている。
【００３６】
従って、Ｒテーパー形状により、この起伏体３，４同士の間に長尺物１を下方から挿入する作業が円滑に行なわれることになる。
【００３７】
また、起伏体３，４同士の正面側には何ら部材等がないから、起伏体３，４同士で挟持保持された長尺物１を正面側へ引き抜くことで該起伏体３，４間から該長尺物１を抜き出すことが可能となる（この抜き出しも考慮して挟持当接部３Ｂ，４Ｂの摩擦抵抗を設定する。）。勿論、手で起伏体３，４を回動させ、長尺物１を上下方向に引動することで起伏体３，４の間から該長尺物１を抜き出しても良い。
【００３８】
また、起伏体３，４は、基体２に設けた際、該起伏体３，４の倒伏状態の対向間隔は長尺物１の径より小さい間隔に設定され、また、起立状態となるに従い対抗間隔は広くなるように設定されている。
【００３９】
本実施例は上述のように構成したから、起伏体３，４同士の間に長尺物１を握持して下方から挿入し該起伏体３，４を起立状態とすると、起伏体３，４は付勢体13の付勢力により倒伏状態へ向かうから、該長尺物１は挟持されて立設状態で保持される（図４〜６参照）。
【００４０】
そして、該長尺物は自重及び起伏体３，４の接触摩擦により確実に挟持される。
【００４１】
よって、本実施例によれば、鋤の柄や鍬の柄などの長尺物１を確実に立設状態で保持することができ、しかも、この長尺物１における立設状態の保持が簡易且つ迅速に達成されることになる。
【００４２】
尚、本発明は、本実施例に限られるものではなく、各構成要件の具体的構成は適宜設計し得るものである。
【図面の簡単な説明】
【００４３】
【図１】本実施例の使用状態説明図である。
【図２】本実施例の分解斜視図である。
【図３】本実施例に係る要部の説明図である。
【図４】本実施例の動作説明図である。
【図５】本実施例の動作説明図である。
【図６】本実施例の動作説明図である。
【図７】本実施例に係る要部の動作説明図である。
【符号の説明】
【００４４】
１  長尺物
２  基体
３  起伏体
４  起伏体
５  軸
６  軸
９  歯車機構
【図１】
2007319405.tif 000003
【図２】
2007319405.tif 000004
【図３】
2007319405.tif 000005
【図４】
2007319405.tif 000006
【図５】
2007319405.tif 000007
【図６】
2007319405.tif 000008
【図７】
2007319405.tif 000009